(57)【要約】      （修正有）【課題】装置の薄型化に対応可能であり、光路を正確に制御することができ、正面輝度が良好な液晶表示装置を提供すること。【解決手段】光源を備えた導光板の上にマイクロレンズフィルム及びマイクロプリズムフィルムが順に積層されてなる液晶表示装置であって、前記マイクロプリズムフィルムの前記マイクロレンズフィルムと対面する側が、波型表面からなり、各波が頂点を光源側に位置する略直角三角形の二辺となる形状であることを特徴とする液晶表示装置。【選択図】図２
2008262133.tif 000002
【特許請求の範囲】
【請求項１】
光源を備えた導光板の上にマイクロレンズフィルム及びマイクロプリズムフィルムが順に積層されてなる液晶表示装置であって、前記マイクロプリズムフィルムの前記マイクロレンズフィルムと対面する側が、波型表面からなり、各波が頂点を光源側に位置する略直角三角形の二辺となる形状であることを特徴とする液晶表示装置。
【請求項２】
マイクロプリズムフィルムの上に偏光板が積層され、接着されてなる請求項１記載の液晶表示装置。
【請求項３】
マイクロプリズムフィルムが光拡散材を含有してなる請求項１又は２記載の液晶表示装置。
【請求項４】
さらに偏光板を備え、該偏光板を形成する透明保護フィルムがマイクロプリズムフィルムであることを特徴とする請求項１記載の液晶表示装置。
【発明の詳細な説明】
【技術分野】
【０００１】
本発明は、テレビ、PCモニタ等に用いられる液晶表示装置に関する。
【背景技術】
【０００２】
光源を備えた導光板を有する液晶表示装置では、通常、導光板からの出射光は斜め方向に向いているため、光路を正面方向に変更し、正面輝度を向上させる手段として、マイクロプリズムフィルム等を用いる方法がある。
【０００３】
例えば、特許文献１には、鋸歯構成を上面とする微細構造フィルム(マイクロプリズムレンズ)を鋸歯が直交するように２枚重ねたディスプレイ装置が提案されている。
【特許文献１】特表２００５−５０９８９９号公報
【発明の開示】
【発明が解決しようとする課題】
【０００４】
しかしながら、通常、1枚のマイクロプリズムレンズの厚みは通常50μm以上あり、特許文献１に記載のディスプレイ装置のように、マイクロプリズムフィルムを2枚重ねると、装置の薄型化が妨げられる。また、マイクロプリズムフィルムは、上に重ねる偏光板と、光路を調整する溝を有する面で接しており、フィルムを固定するために接着剤を使用して溝に接着剤が埋まると、光路の調整が困難となる。従って、マイクロプリズムフィルムと偏光板との界面に接着剤を使用できず、フィルムを固定することができないため、使用中にマイクロプリズムフィルムの位置がわずかにでもずれると光路の正確な制御が困難となる。
【０００５】
本発明の課題は、装置の薄型化に対応可能であり、光路を正確に制御することができ、正面輝度が良好な液晶表示装置を提供することにある。
【課題を解決するための手段】
【０００６】
本発明の要旨は、光源を備えた導光板の上にマイクロレンズフィルム及びマイクロプリズムフィルムが順に積層されてなる液晶表示装置であって、前記マイクロプリズムフィルムの前記マイクロレンズフィルムと対面する側が、波型表面からなり、各波が頂点を光源側に位置する略直角三角形の二辺となる形状であることを特徴とする液晶表示装置に関する。
【発明の効果】
【０００７】
本発明の液晶表示装置は、装置の薄型化に対応可能であり、光路を正確に制御することができ、良好な正面輝度が得られるという優れた効果を奏する。
【発明を実施するための最良の形態】
【０００８】
本発明の液晶表示装置は、光源を備えた導光板の上にマイクロレンズフィルム及びマイクロプリズムフィルムが順に積層されてなる液晶表示装置であって、マイクロプリズムフィルムのマイクロレンズフィルムと対面する側が、波型表面からなり、各波が頂点を光源側に位置する略直角三角形の二辺となる形状である点に大きな特徴を有する。これにより、導光板より出射した光線がマイクロレンズフィルムを透過した後、最高輝度方向が画面法線に対して10〜20°の角度をもつという問題を解消することができる。
【０００９】
マイクロプリズムフィルムの斜視図を図１(a)に、その波型表面の断面模式図を図１(b)に示す。αは、70〜90°の略90°であり、各波はこの略直角αを含む略直角三角形状となる。
【００１０】
波の頂点の角度βは、50〜85°が好ましく、60〜75°がより好ましい。
【００１１】
プリズムの傾斜角度γは、5〜40°が好ましく、15〜30°がより好ましい。
【００１２】
プリズムの傾斜角度γは、式(A)：
sinγ＝sin(γ＋θ)÷ｎd      (A)
（式中、θはマイクロプリズムフィルムへの光の入射角、ｎdはマイクロプリズムフィルムの屈折率を示す）
を満たす角度であることが好ましく、γのバラつき、即ち、γの最大値と最小値の差は5°以下が好ましい。
【００１３】
また、マイクロプリズムフィルムへの光の入射角θは、5〜30°が好ましい。
【００１４】
溝の1ピッチＰの大きさは、照度のムラを防止する観点から、液晶表示装置の画素ピッチの好ましくは1/3以下、より好ましくは1/5以下であることが望ましく、好ましくは5μm以上、より好ましくは10〜30μmであることが望ましい。
【００１５】
波間に形成される溝の形状は、直線であっても、曲線であってもよいが、生産性の観点から、図１(a)に示されているような直線であるのが好ましい。溝が直線である場合、液晶表示装置の画素配列方向に対して、光の干渉を防止する観点から、好ましくは5°以上、より好ましくは10〜15°傾いていることが望ましい。
【００１６】
マイクロプリズムフィルムの材質は、特に限定されないが、エポキシ樹脂等の熱硬化性樹脂、アクリレート樹脂等の光硬化性樹脂等が挙げられる。
【００１７】
マイクロプリズムフィルムの厚みＴは、光透過率と薄型化、軽量化の観点から、5〜200μmが好ましく、10〜100μmがより好ましい。
【００１８】
マイクロプリズムフィルムには、モアレ防止及び輝度平滑化の観点から、光拡散材が含有されていることが好ましい。
【００１９】
光拡散材としては、アクリル、エポキシ、メラミン、スチレン等の樹脂粒子、ジルコニア、シリカ、ガラス、酸化チタン等の無機粒子等が挙げられ、これらの中では、分散性及び偏光特性の観点から、樹脂粒子が好ましい。
【００２０】
光拡散材の平均粒子径は、0.5〜100μmが好ましく、1〜10μmがより好ましい。この平均粒子径は、レーザー回折式粒度分布測定装置で測定することができる。
【００２１】
光拡散材の含有量は、マイクロプリズムフィルム中、1〜50重量％が好ましく、5〜30重量％がより好ましい。
【００２２】
マイクロプリズムフィルムの製造方法としては、例えば、透明樹脂フィルム表面をエキシマレーザーでエッチング加工する方法、熱硬化性樹脂を透明樹脂フィルム上に塗布後、金型で熱プレスする方法、光硬化性樹脂を金型に塗布し、その上に透明樹脂フィルムを重ねて、透明樹脂フィルムを介して光照射して、光硬化する方法等が挙げられる。マイクロプリズムフィルムに光拡散材を配合する場合、例えば、溶剤中に光拡散材を分散後、樹脂と混合し、基材フィルム上に塗布、乾燥後、金型へ押しあてて形状付与した後に、光照射して、光硬化させる方法が挙げられる。
【００２３】
本発明の液晶表示装置は、光源を備えた導光板の上にマイクロレンズフィルム及び前記マイクロプリズムフィルムが順に積層されている。この場合、マイクロプリズムフィルムは、各波の頂点Ｑが光源側に位置するように配置する。頂点が光源と反対側では、マイクロレンズフィルムから出射した光が正面方向に向かないため、正面輝度が大きく低下し、使用することができない。
【００２４】
本発明の液晶表示装置の一実施態様を図２に示す。本発明の液晶表示装置は、図２に示すように、少なくとも、光源１を備えた導光板２の上に、マイクロレンズフィルム３、前記マイクロプリズムフィルム４が順じ重ねられた構成を含む。
【００２５】
光源１としては、従来の発光ダイオード、陰極管、有機ＥＬ、無機ＥＬ等を使用することができる。光源の配置は、正面輝度特性の観点から、導光板の１側面に光源を備えたエッジライト型であることが好ましい。
【００２６】
導光板２は、例えば、エポキシ樹脂、アクリル樹脂、ウレタン樹脂、ポリカルボジイミド等の樹脂を用いて、トランスファー成形、プレス成形などの成形法によって製造することができる。
【００２７】
導光板２からの出射光の最大強度の方向の角度は、導光板の表面に対して10〜20°であることが好ましい。
【００２８】
マイクロレンズフィルム３の一方の表面に配列されているマイクロレンズの形状としては、半球形状、回転楕円体形状が挙げられるが、これらの中では、均一性の観点から、図２に示されているような半球形状が好ましい。
【００２９】
マイクロレンズフィルム３の材質は、アクリル樹脂、ポリスチレン樹脂、エポキシ樹脂、ポリイミド、ポリカルボジイミド等の樹脂等が挙げられるが、これらのなかでは、耐熱性の観点からは、エポキシ樹脂及びポリイミドが好ましく、生産性の観点からはポリスチレン樹脂が好ましく、マイクロプリズムフィルムと同様の方法により製造することができる。
【００３０】
マイクロレンズフィルム３の厚みは、10〜100μm程度が好ましい。なお、マイクロレンズフィルムの厚みは、マイクロプリズムレンズと同様にマイクロレンズの頂点までの長さをさす。
【００３１】
また、本発明の液晶表示装置のさらなる態様として、マイクロプリズムフィルムの上に偏光板が積層されていてもよいが、本発明におけるマイクロプリズムフィルムは偏光板に接着させることができる。マイクロプリズムフィルムを偏光板に接着させることにより、使用中にマイクロプリズムレンズがずれることがなく、光路をより正確に制御することができる。
【００３２】
偏光板へのマイクロプリズムフィルムの接着には、通常、光学部材の接着に用いられる接着剤、粘着剤等を用いることができる。例えば、日東電工社製のNo.7粘着剤のようなアクリル系粘着剤やNORLAND社製の紫外線重合接着剤等が挙げられる。
【００３３】
また、本発明の液晶表示装置が偏光板を備えている場合、偏光板を形成する透明保護フィルムが前記波型表面を有するマイクロプリズムフィルムであってもよい。即ち、偏光子が2枚の透明保護フィルムに挟まれた偏光板を備えている場合に、透明保護フィルムの一方がマイクロプリズムフィルムであってもよい。透明保護フィルムの材質としては、トリアセチルセルロース等が挙げられるが、例えば、透明保護フィルムの表面にエキシマレーザーによりエッチングしてプリズム形状を形成したフィルムをマイクロレンズフィルムとして用い、プリズム付き偏光板を作製することができる。マイクロプリズムと偏光板を一体化させることにより、マイクロプリズムフィルムを偏光板に接着させた場合と同様に、使用中にマイクロプリズムレンズがずれることがなく、光路をより正確に制御することができる。
【００３４】
本発明の液晶表示装置は、光源を備えた導光板の上にマイクロレンズフィルム及びマイクロプリズムフィルムが順に積層された構造を有し、マイクロプリズムフィルムの形状に前記のような特徴を有している以外は特に限定されず、マイクロプリズムフィルムの上に、さらに液晶セルや偏光板が常法により積層されていてもよい。
【実施例】
【００３５】
次に、本発明を実施例に基づいてさらに詳細に説明するが、本発明はかかる実施例のみに限定されるものではない。
【００３６】
実施例１
(1) マイクロプリズムフィルムの作製
紫外線硬化樹脂(旭電化社製アデカオプトマーKR400)を金型に塗布し、塗布面にポリエステルフィルム(三菱化学ポリエステル社製ダイヤホイルMRX38)を貼り合わせ、ポリエステルフィルムを介して、紫外線を照射し、紫外線硬化樹脂を硬化させた後、離型することにより、波型表面を有する紫外線硬化樹脂にポリエステルフィルムが積層されたマイクロプリズムフィルムを得た。フィルムの厚みは25μm、略直角の角度(α)は87°、頂点の角度(β)は73°、プリズムの傾斜角度(γ)は20°、屈折率(ｎd)は1.53、溝のピッチは30μmであった。
【００３７】
(2) マイクロレンズフィルムの作製
エポキシ樹脂１(ジャパンエポキシレジン社製1010)、エポキシ樹脂２(日産化学社製TEPICの混合物)及びメチルエチルケトンを、93/7/100の重量比で混合した溶液を、ポリエステルフィルム(東レ社製ルミラー)上に塗布乾燥し、Ｂステージの熱硬化型エポキシ樹脂層を形成した。そして、金型でＢステージの熱硬化型エポキシ樹脂層を、160℃で5分間熱プレスして、半球形状のマイクロレンズを表面に有するエポキシ樹脂にポリエステルフィルムが積層されたマイクロレンズフィルムを得た。フィルムの厚みは25μmであった。
【００３８】
(3) 液晶表示装置の作製
以下の方法により、図２に示す構成の液晶表示装置を作製した。
エッジライト型の光源１を備えた導光板２上に、(2)で作製したマイクロレンズフィルム３を設置し、その上に(1)で作製したマイクロプリズムフィルム４をプリズム面をマイクロレンズフィルム３側に向け、各波の頂点が光源側に位置するように設置した。さらに、マイクロプリズムフィルム４の上に、偏光板５、液晶セル６、偏光板７を順じ重ね、マイクロプリズムフィルムは粘着剤(日東電工社製No.7)８で偏光板５に貼り合わせた。マイクロプリズムフィルムの溝と液晶表示装置の画素配列方向がなす角度は10°とした。また、導光板上にマイクロレンズフィルムを配置した時のマイクロプリズムフィルムへの光の入射角θは、約10°であった。
【００３９】
実施例２
(1) マイクロプリズムフィルムの作製
紫外線硬化樹脂(旭電化社製アデカオプトマーKR400)75重量部に、光拡散材として、平均粒子径6μmの真球状スチレン粒子(積水化学社製SBX6)25重量部を混合したものを金型に塗布し、塗布面にポリエステルフィルム(三菱化学ポリエステル社製ダイヤホイルMRX38)を貼り合わせ、ポリエステルフィルムを介して、紫外線を照射し、紫外線硬化樹脂を硬化後、離型することにより、実施例１と同じ波型表面を有する光拡散材含有マイクロプリズムフィルムを得た。
【００４０】
(2) 液晶表示装置の作製
マイクロプリズムフィルムとして、(1)で作製した光拡散材含有マイクロプリズムフィルム９を用いた以外は、実施例１と同様にして、図３に示す構成の液晶表示装置を作製した。
【００４１】
実施例３
(1) マイクロプリズムフィルムの作製
紫外線硬化樹脂(旭電化社製アデカオプトマーKR400)を金型に塗布し、塗布面にトリアセチルアセテートフィルム(富士フィルム社製)を貼り合わせ、トリアセチルアセテートフィルムを介して、紫外線を照射し、紫外線硬化樹脂を硬化後、離型することにより、実施例１と同じ波型表面を有するマイクロプリズムフィルムを得た。
【００４２】
(2) 液晶表示装置の作製
(1)で作製したマイクロプリズムフィルムと、別に用意したトリアセチルアセテートフィルムを用いて、偏光子を挟み、プリズム付き偏光板を作製した。マイクロレンズフィルム３と液晶セル６の間に、マイクロプリズムフィルム４と偏光板５の代わりに、上記プリズム付き偏光板１０を用いた以外は、実施例１と同様にして、図４に示す構成の液晶表示装置を作製した。
【００４３】
以上のようにして作製した、実施例１〜３の液晶表示装置は従来より薄く、実施例１、２ではマイクロプリズムフィルムが粘着剤で固定されているため、またマイクロプリズムフィルムが偏光板と一体化しているため、使用中に正面輝度が変化することがなかった。
【産業上の利用可能性】
【００４４】
本発明の液晶表示装置は、テレビ、PCモニタ等に好適に使用することができる。
【図面の簡単な説明】
【００４５】
【図１】図１(ａ)は、マイクロプリズムフィルムの一実施態様の斜視図であり、図１(ｂ)は、マイクロプリズムフィルムの断面模式図である。
【図２】図２は、本発明の液晶表示装置の一実施態様の断面模式図である。
【図３】図３は、本発明の液晶表示装置の一実施態様の断面模式図である。
【図４】図４は、本発明の液晶表示装置の一実施態様の断面模式図である。
【符号の説明】
【００４６】
α  略直角
β  波の頂点の角度
γ  プリズムの傾斜角度
θ  光の入射角
Ｑ  波の頂点
Ｐ  溝のピッチ
Ｔ  マイクロプリズムフィルムの厚み
１  光源
２  導光板
３  マイクロレンズフィルム
４  マイクロプリズムフィルム
５  偏光板
６  液晶セル
７  偏光板
８  粘着剤
９  光拡散材含有マイクロプリズムフィルム
１０  プリズム付き偏光板
【図１】
2008262133.tif 000003
【図２】
2008262133.tif 000004
【図３】
2008262133.tif 000005
【図４】
2008262133.tif 000006